(57)【特許請求の範囲】
【請求項１】
空気を充填可能な空気袋を備え、着用者の首に装着する首用サポーターにおいて、
下辺の中央近傍が略中央を最下点として下方に湾曲する凸部を有し、前記空気袋を構成する長尺状の本体部と、
前記本体部に配設され、前記空気袋に対する空気の注入及び排出を可能にする空気注入弁と、
前記本体部の両端近傍の異なる面に配設されて当該異なる面同士を係着させる係着部と、
前記本体部の長手方向に連続して散点状に複数並設され、当該本体部の表地面及び裏地面間を接着させて形成される支持部と、
を備え、
前記本体部の内部に空気を充填させることで、前記支持部を結ぶ直線を境界として２段の膨張部分が生じ、前記本体部の凸部が着用者の胸に当接することを特徴とする首用サポーター。
【請求項２】
前記請求項１に記載の首用サポーターにおいて、
前記本体部の長手方向における表地面の長さが、前記本体部の長手方向における裏地面の長さよりも長いことを特徴とする首用サポーター。
【請求項３】
前記請求項１又は２に記載の首用サポーターにおいて、
前記本体部が、少なくとも上辺の中央近傍で表地面及び裏地面を接着され、
前記本体部の短手方向における表地面の長さが、前記本体部の短手方向における裏地面の長さよりも短いことを特徴とする首用サポーター。
【請求項４】
前記請求項１乃至３のいずれかに記載の首用サポーターにおいて、
前記本体部が、上辺の中央近傍で下方に湾曲する凹部を備えることを特徴とする首用サポーター。
【発明の詳細な説明】
【技術分野】
【０００１】
本発明は、空気を充填可能な空気袋を備え、着用者の首に装着して着用者の頭部を支持する首用サポーターに関し、特に、パソコンの使用等のデスクワーク時又は飛行機若しくは新幹線等の長距離の移動時に最適な首用サポーターに関するものである。
【背景技術】
【０００２】
従来の頚部用簡易コルセットは、患者の頚部が包囲可能な環状に形成され、患者の頚部の上側部位を保持するために顎から首の後部分まで延在する頚部の上側部位を取り囲む顎受けチューブと、同様に頚部の下側部位を取り囲む下部支持チューブとの間に、顎受けチューブを頚部の上下方向に支持する複数の蛇腹状の支柱チューブを並行に配して窓口を形成してコルセットを形成する。そして、これらのチューブを空気を送排気することにより膨張収縮可能な軟質樹脂製とし、送排気口（空気注入口）から空気を吹き込むことにより風船のように膨張させる（例えば、特許文献１参照）。
【先行技術文献】
【特許文献】
【０００３】
【特許文献１】実用新案登録第３０８４４４２号公報
【発明の概要】
【発明が解決しようとする課題】
【０００４】
従来の頚部用簡易コルセットは、顎受けチューブと下部支持チューブと４つの支持チューブとが独立しており、各チューブに配設された空気注入口から空気をそれぞれ注入する必要があり、使用方法が煩雑であるという課題がある。
また、従来の頚部用簡易コルセットは、顎受けチューブと下部支持チューブとに挟まれた領域のうち、窓口に占める割合が高く、支持チューブにより着用者の頭部を十分に支持することができないという課題がある。【０００５】
本発明は、上述のような課題を解決するためになされたもので、使用方法が簡易であり、着用者の頭部を確実に支持することができる首用サポーターを提供することを目的とする。
【課題を解決するための手段】
【０００６】
本発明に係る首用サポーターにおいては、下辺の中央近傍が略中央を最下点として下方に湾曲する凸部を有し、空気袋を構成する長尺状の本体部と、本体部に配設され、空気袋に対する空気の注入及び排出を可能にする空気注入弁と、本体部の両端近傍の異なる面に配設されて当該異なる面同士を係着させる係着部と、本体部の長手方向に連続して散点状に複数並設され、当該本体部の表地面及び裏地面間を接着させて形成される支持部と、を備え、前記本体部の内部に空気を充填させることで、前記支持部を結ぶ直線を境界として２段の膨張部分が生じ、前記本体部の凸部が着用者の胸に当接するものである。
【発明の効果】
【０００７】
本発明に係る首用サポーターにおいては、未使用時には空気袋から空気を排出して折り畳んで携帯に便利な小形にすることできる。また、本発明に係る首用サポーターにおいては、使用時には空気袋に空気を注入して本体部の内部に空気を充填させることで、複数の貫通孔を結ぶ直線を境界として２段の膨張部分が生じる。これにより、本発明に係る首用サポーターにおいては、本体部の下辺が着用者の肩に当接し、下段の膨張部分が上段の膨張部分を支持して、本体部の上辺が着用者の顎下に当接することで、着用者の肩上に本体部を介して着用者の頭部を確実に支持することができるものである。
【図面の簡単な説明】
【０００８】
【図１】（ａ）は第１の実施形態に係る首用サポーターの概略構成を示す正面図であり、（ｂ）は図１（ａ）に示す首用サポーターの背面図であり、（ｃ）は図１（ａ）に示す首用サポーターの右側面図であり、（ｄ）は図１（ａ）に示す首用サポーターの平面図であり、（ｅ）は図１（ａ）に示す首用サポーターの底面図である。
【図２】（ａ）は図１に示す首用サポーターに空気を注入した状態を示す斜視図であり、（ｂ）は図２（ａ）に示す首用サポーターの矢視Ａ−Ａ線の断面図である。
【図３】（ａ）は図１に示す首用サポーターの着用状態を示す正面図であり、（ｂ）は図１に示す首用サポーターの着用状態を示す側面図である。
【図４】（ａ）は第１の実施形態に係る他の首用サポーターの概略構成を示す正面図であり、（ｂ）は図４（ａ）に示す首用サポーターの背面図であり、（ｃ）は図４（ａ）に示す首用サポーターの右側面図であり、（ｄ）は図４（ａ）に示す首用サポーターの平面図であり、（ｅ）は図４（ａ）に示す首用サポーターの底面図である。
【図５】（ａ）は第２の実施形態に係る首用サポーターの概略構成を示す正面図であり、（ｂ）は図５（ａ）に示す首用サポーターの背面図であり、（ｃ）は図５（ａ）に示す首用サポーターの右側面図であり、（ｄ）は図５（ａ）に示す首用サポーターの平面図であり、（ｅ）は図５（ａ）に示す首用サポーターの底面図である。
【図６】（ａ）は図５に示す首用サポーターに空気を注入した状態を示す斜視図であり、（ｂ）は図６（ａ）に示す首用サポーターの矢視Ｂ−Ｂ線の断面図であり、（ｃ）は図６（ａ）に示す首用サポーターの矢視Ｃ−Ｃ線の断面図である。
【発明を実施するための形態】
【０００９】
（本発明の第１の実施形態）
首用サポーター１００は、図１に示すように、空気を充填可能な空気袋を構成する長尺状の本体部１０と、本体部１０に配設され、空気袋に対する空気の注入及び排出を可能にする空気注入弁２０と、本体部１０の両端近傍の異なる面に配設されて当該異なる面同士を係着させる係着部３０と、本体部１０の長手方向に連続して散点状に複数並設され、当該本体部１０の表地面及び裏地面間を接着させて形成される支持部４０と、を備える。なお、本体部１０の表地面は、図１（ａ）に対応し、空気注入弁２０が配設された面であり、本体部１０の表地面は、図１（ｂ）に対応し、着用者の首に当接させる面である。
【００１０】
なお、本実施形態に係る本体部１０は、上辺の中央近傍が略直線形状である直線部１１と、下辺の中央近傍が略中央を最下点として下方に湾曲する凸部１２と、を備え、直線部１１を対称軸として線対称である一枚の合成樹脂シート（例えば、ポリ塩化ビニル（polyvinyl chloride：ＰＶＣ））からなり、直線部１１で折り返して当該直線部１１を除く周縁部における合成樹脂シートの内面同士を熱圧着により接着して袋状体にされる。
【００１１】
特に、本体部１０は、両端近傍における上辺及び下辺間を横断するように合成樹脂シートの内面同士を熱圧着により接着され、空気が注入される領域（以下、注入領域１０ａと称す）と空気が注入されない領域（以下、非注入領域１０ｂと称す）とに区分され、係着部３０が非注入領域１０ｂに配設される。このように、係着部３０が非注入領域１０ｂに配設されることは、図２（ａ）に示すように、空気が本体部１０の内部（注入領域１０ａ）に注入されても、非注入領域１０ｂには空気が注入されずに平坦であるため、係着部３０の歪みの発生を防止して、本体部１０の両端部分を係着部３０で確実に係止することができる。
【００１２】
また、本実施形態に係る本体部１０は、スエード加工が表面に施されることにより、合成樹脂シートに対して表面の摩擦抵抗が大きくなり、着用中の首用サポーター１００のずれを抑制して適正な位置で首用サポーター１００を着用することができると共に、着用中の首用サポーター１００の肌触りを良くすることができる。
【００１３】
なお、本実施形態においては、係着部３０として面ファスナーを用いた首用サポーター１００について説明するが、本体部１０の両端部分を係着できるのであれば面ファスナーに限られるものではなく、例えば、ボタン、ドットボタン、スナップ、フック、尾錠、ファスナー（ジッパー、チャック）、前かん、又は、スピンドルストッパなどを用いてもよい。
【００１４】
また、本実施形態に係る本体部１０は、図１（ａ）に示す表地面における右端側に面ファスナーのループ３１が配設され、図１（ｂ）に示す裏地面における右端側に面ファスナーのフック３２が配設されているが、フック３２を表地面に配設させてループ３１を裏地面に配設させてもよいし、表地面におけるループ３１を配設する側を右端側から左端側に変更すると共に裏地面におけるフック３２を配設する側を右端側から左端側に変更して配設させてもよい。
【００１５】
なお、本実施形態に係る支持部４０は、本体部１０の下辺に沿って略くの字状に並設されるように、注入領域１０ａの複数箇所（例えば、５箇所）において、合成樹脂シートの内面同士を熱圧着により接着して形成される略円形の熱圧着部４１と、熱圧着部４１の中心近傍を切除して本体部１０の表地面及び裏地面間を貫通し、熱圧着部４１と同心円状に形成される略円形の貫通孔４２と、を備える。また、支持部４０は、本体部１０の上辺及び各支持部４０間の間隔が本体部１０の下辺及び対応する各支持部４０間の間隔よりも広くなるように配置される。
【００１６】
なお、支持部４０は、貫通孔４２を必ずしも備える必要はないが、貫通孔４２を備えることにより、貫通孔４２が着用者の首と首用サポーター１００の外側との通気口になり、首用サポーター１００の通気性を高め、首用サポーター１００の長時間の着用による着用者の首周りの蒸れを抑制することができる。
【００１７】
つぎに、本実施形態に係る首用サポーター１００の使用方法について、図１乃至図３を用いて説明する。
まず、首用サポーター１００の使用者は、本体部１０の表地面（図１（ａ）参照）にある空気注入弁２０から本体部１０の内部（注入領域１０ａ）に空気を注入すると、図２に示すように、本体部１０の注入領域１０ａのみが膨らむ。
【００１８】
そして、首用サポーター１００の使用者は、本体部１０の注入領域１０ａが適度に膨らんだ状態で、空気注入弁２０の注排気口を栓（外弁）で封止する。このように、首用サポーター１００は、本体部１０の内部（注入領域１０ａ）に空気を充填させることで、図２（ａ）に示すように、５箇所の支持部４０（熱圧着部４１、貫通孔４２）を結ぶ直線を境界として２段の膨張部分が生じる。
【００１９】
そして、首用サポーター１００の使用者は、本体部１０の凸部１２を下にして本体部１０の裏地面（図１（ｂ）参照）を首に対向させ、顎下に凸部１２が位置するように位置合わせを行ない、図３に示すように、首の前方から本体部１０を当接させて首に巻き付け、首の後方で面ファスナーのループ３１及びフック３２を係止させる。これにより、首用サポーター１００は、本体部１０の下辺が着用者の肩に当接し、下段の膨張部分が上段の膨張部分を支持して、本体部１０の上辺が着用者の顎下に当接することで、着用者の肩上に本体部１０を介して着用者の頭部を支持することができる。
【００２０】
ここで、首の故障は、頭部の重さに加え、不安定な足裏から伝わる過剰な衝撃波とねじれ波とが介達外力となって首に繰り返されることで生じると考えられている。このため、首用サポーター１００は、着用者の頭部を支えて、首への負担を軽減させることができ、着用者の第１頚骨の変形や歪みを防止し、着用者の頚椎の上部と頭蓋骨との接続部周辺に集中する自律神経の安定性を促すことができるという作用効果を奏する。
【００２１】
また、首用サポーター１００は、未使用時に本体部１０の内部（注入領域１０ａ）から空気を排出して小さく折り畳むことができるため、例えば、歩行時には、首用サポーター１００を折り畳んで鞄に収納しておき、飛行機や新幹線等の座席に座る場合には、本体部１０を膨らませて首用サポーター１００を着用することができ、複数の移動手段を利用した場合の使用に最適である。また、首用サポーター１００は、パソコンの使用等のデスクワーク時における使用にも最適である。
【００２２】
なお、本実施形態に係る首用サポーター１００は、図１に示すように、支持部４０として５個の熱圧着部４１（貫通孔４２）を備えている場合について説明したが、複数の支持部４０（熱圧着部４１、貫通孔４２）を結ぶ直線を境界として２段の膨張部分を本体部１０に生じさせることができるのであれば、５個の熱圧着部４１（貫通孔４２）に限られるものではない。
【００２３】
また、本実施形態に係る首用サポーター１００は、図１に示すように、支持部４０として５個の熱圧着部４１（貫通孔４２）を一列に並設させた場合について説明したが、図４に示すように、支持部４０として複数（例えば、５個及び３個）の熱圧着部４１（貫通孔４２）を二列に並設させてもよい。この場合には、本体部１０の内部（注入領域１０ａ）に空気を充填させることで、各列の複数の支持部４０（熱圧着部４１、貫通孔４２）を結ぶ直線を境界として３段の膨張部分が生じ、上段の膨張部分が着用者の顎に当接し、中段の膨張部分が着用者の首に当接し、下段の膨張部分が着用者の胸に当接することになり、着用者の顎下から胸に掛けての湾曲面に沿って首用サポーター１００を密着させることができ、着用者の首に対する首用サポーター１００の支持力を高めることができる。
【００２４】
また、本実施形態に係る首用サポーター１００は、付加的な機能として、本体部１０における着用者の頚椎の上部と頭蓋骨との接続部近傍から頚椎に沿う位置に袋部を配置し、袋部に保冷剤を収納してもよい。この構成により、首用サポーター１００は、着用者の頚椎の上部と頭蓋骨との接続部周辺を冷却することができ、接続部周辺に集中する自律神経の安定性を促し、首の損傷や首凝りによる不調を沈静化することができる。
また、本実施形態に係る首用サポーター１００は、非注入領域１０ｂに緩衝材を収納してもよい。この構成により、首用サポーター１００は、着用者の顎をやや上方に支持する場合に、着用者の首筋において下方に掛かる負荷を和らげ、着用者の首筋の負担を軽減することができる。
【００２５】
（本発明の第２の実施形態）
図５（ａ）は第２の実施形態に係る首用サポーターの概略構成を示す正面図であり、図５（ｂ）は図５（ａ）に示す首用サポーターの背面図であり、図５（ｃ）は図５（ａ）に示す首用サポーターの右側面図であり、図５（ｄ）は図５（ａ）に示す首用サポーターの平面図であり、図５（ｅ）は図５（ａ）に示す首用サポーターの底面図である。図６（ａ）は図５に示す首用サポーターに空気を注入した状態を示す斜視図であり、図６（ｂ）は図５（ａ）に示す首用サポーターの矢視Ｂ−Ｂ線の断面図であり、図６（ｃ）は図５（ａ）に示す首用サポーターの矢視Ｃ−Ｃ線の断面図である。図５及び図６において、図１乃至図４と同じ符号は、同一又は相当部分を示し、その説明を省略する。
【００２６】
本実施形態に係る本体部１０は、上辺の中央近傍が略中央を最下点として下方に湾曲する凹部１３と、下辺の中央近傍が略中央を最下点として下方に湾曲する凸部１２と、を備える略Ｖ字形状であり、表地面及び裏地面をなす二枚の合成樹脂シートからなり、周縁部における合成樹脂シートの内面同士を熱圧着により接着して袋状体にされる。
【００２７】
このように、本実施形態に係る首用サポーター１００は、本体部１０の上辺に凹部１３を備えることにより、本体部１０の上辺が着用者の顎のラインに沿い、着用者の首に対する首用サポーター１００のフィット感及び安定感を高めることができるという作用効果を奏する。
【００２８】
なお、本実施形態に係る本体部１０は、第１の実施形態と異なり、上辺の中央近傍で表地面及び裏地面が熱圧着により接着されているため、熱圧着部分が硬くなると共に、同一形状の二枚の合成樹脂シートを接着することで、熱圧着部分が上方に突出することになり、突出部分が着用者の顎下に対して鋭角に当接して、着用者に不快感を与える恐れがある。
【００２９】
このため、本実施形態に係る首用サポーター１００は、本体部１０の短手方向における表地面の長さを、本体部１０の短手方向における裏地面の長さよりも短くすることにより、図６（ｂ）に示すように、突出部分１３ａを着用者に対して外側に反らせて、突出部分１３ａが着用者の顎下に対して鋭角に当接しないようにしている。
【００３０】
また、本実施形態に係る首用サポーター１００は、本体部１０の長手方向における表地面の長さを、本体部１０の長手方向における裏地面の長さよりも長くすることにより、図６（ｃ）に示すように、裏地面側に本体部１０を円弧状に反らせることができ、首用サポーター１００の表裏を明確にし、首用サポーター１００の装着を容易にすると共に、着用者の首に対する首用サポーター１００のフィット感を高めることができるという作用効果を奏する。
【００３１】
なお、この第２の実施形態においては、本体部１０の上辺に凹部１３を備え、本体部１０が二枚の合成樹脂シートからなるところのみが第１の実施形態と異なるところであり、凹部１３及び二枚の合成樹脂シートによる作用効果以外は、第１の実施形態と同様の作用効果を奏する。
【符号の説明】
【００３２】
１０    本体部
１０ａ  注入領域
１０ｂ  非注入領域
１１    直線部
１２    凸部
１３    凹部
１３ａ  突出部分
２０    空気注入弁
３０    係着部
３１    ループ
３２    フック
４０    支持部
４１    熱圧着部
４２    貫通孔
１００  首用サポーター
【図１】
0005525627.tif 000002
【図２】
0005525627.tif 000003
【図３】
0005525627.tif 000004
【図４】
0005525627.tif 000005
【図５】
0005525627.tif 000006
【図６】
0005525627.tif 000007